(57)【要約】【課題】  ２つの焦点検出装置を使い分けて、撮影条件に応じて焦点検出動作が最適化される使い勝手のよいハイブリットＡＦカメラを提供する。【解決手段】  撮影光学系による被写体像を光電変換して画像信号を生成する撮像素子と、画像信号に基づいて被写体像の焦点評価値を算出し、該焦点評価値が極大値となるレンズ位置を探索して撮影光学系の合焦状態を検出する第１焦点検出部と、第１焦点検出部と異なる方式で撮影光学系の合焦状態を検出する第２焦点検出部と、被写界の輝度値を取得する輝度情報取得部と、第１焦点検出部または第２焦点検出部の少なくとも一方に基づいて撮影光学系の合焦動作を行い、輝度値が閾値以下の場合には第２焦点検出部に基づいて撮影光学系の合焦動作を行う合焦制御部と、を有することを特徴とする。【選択図】  図１
2006178343.tif 000002
【特許請求の範囲】
【請求項１】
撮影光学系による被写体像を光電変換して画像信号を生成する撮像素子と、
前記画像信号に基づいて前記被写体像の焦点評価値を算出し、該焦点評価値が極大値となるレンズ位置を探索して前記撮影光学系の合焦状態を検出する第１焦点検出部と、
前記第１焦点検出部と異なる方式で前記撮影光学系の合焦状態を検出する第２焦点検出部と、
被写界の輝度値を取得する輝度情報取得部と、
前記第１焦点検出部または前記第２焦点検出部の少なくとも一方に基づいて前記撮影光学系の合焦動作を行い、前記輝度値が閾値以下の場合には前記第２焦点検出部に基づいて前記撮影光学系の合焦動作を行う合焦制御部と、
を有することを特徴とする電子カメラ。
【請求項２】
前記合焦制御部は、前記輝度値が閾値以下の場合であって、前記第１焦点検出部の焦点検出エリア内で所定以上の輝度を有する画像信号の占める割合が所定値以上の場合には前記第２焦点検出部に基づいて前記撮影光学系の合焦動作を行うことを特徴とする請求項１に記載の電子カメラ。
【請求項３】
前記合焦制御部は、前記第１焦点検出部および前記第２焦点検出部における撮影条件ごとの信頼度をそれぞれ合算し、前記第１焦点検出部または前記第２焦点検出部から前記信頼度の合計値の高い方を選択して前記撮影光学系の合焦動作を実行することを特徴とする請求項１または請求項２に記載の電子カメラ。
【発明の詳細な説明】
【技術分野】
【０００１】
本発明は、コントラスト検出方式による焦点検出装置と他方式の焦点検出装置とを併有する電子カメラ（ハイブリットＡＦカメラ）に関する。
【背景技術】
【０００２】
電子カメラの焦点検出方法として、焦点評価値のピーク（合焦位置）を山登り動作で探索して焦点検出を行うコントラスト検出方式が従来から公知である。このコントラスト検出方式では撮像装置がそのまま焦点検出装置を構成し、撮像面の状況を直接モニターすることから合焦精度は高くなる。その反面、コントラスト検出方式は前回の焦点評価値との比較で合焦位置を探索するので合焦動作に時間がかかり、カメラの速写性の面で不利となる。
【０００３】
そこで、コントラスト検出方式の焦点検出装置と他方式の焦点検出装置（例えば外光式ＡＦ装置など）とを併有し、外光式ＡＦ装置などで合焦位置のサーチ範囲を限定した後にコントラスト検出方式で合焦位置の微調整を行う電子カメラが知られている（特許文献１参照）。かかる電子カメラはハイブリットＡＦカメラ等と呼称されるものであり、コントラスト検出方式による高い合焦精度を維持しつつもカメラの速写性が大幅に改善されている。
【特許文献１】特開平１０−２２９５１６号公報
【発明の開示】
【発明が解決しようとする課題】
【０００４】
上記のハイブリットＡＦカメラは多くのシーンで十分な性能を確保できるが、その一方で以下のような不都合も指摘されている。例えば、被写界が暗い場合には被写体像のコントラストが不明確なため、コントラスト検出方式による焦点検出が困難となることがある。したがって、上記の状況においてコントラスト検出方式で合焦位置の微調整を行っても合焦精度の向上は期待できない。
【０００５】
特に、低輝度の撮影環境下でイルミネーションまたは電飾されたクリスマスツリーのような光景を撮影する場合、つまり低輝度の被写体に点状の光源（点光源）が多数存在するシーンにおいては、焦点評価値に疑似ピークが存在してしまう場合がある（以降、本出願では、このような現象を点光源現象と表記する）。このような場合、コントラストＡＦを行うと、本来の合焦位置ではない疑似ピークが存在する位置を合焦点と判断してしまい偽合焦してしまう場合がある。
【０００６】
一方、コントラスト検出方式以外の焦点検出装置にも合焦精度の低い苦手なシーンが存在する。例えば、外光式ＡＦ装置では、被写体との距離が近い場合にはパララックスにより合焦精度が低下する。そのため、撮影条件に応じてハイブリットＡＦカメラのＡＦ方法を使い分けるのが好ましい場合がある。
なお、上記特許文献１のハイブリットＡＦカメラは、温度、絞り値、撮影レンズの焦点距離のいずれかに基づいて焦点検出方法を変更するものであり、上記問題を何ら解決するものではない。
【０００７】
本発明は上記従来技術の課題を解決するためのものであって、その目的は、２つの焦点検出装置を使い分けて、撮影条件に応じて焦点検出動作が最適化される使い勝手のよいハイブリットＡＦカメラを提供することである。
【課題を解決するための手段】
【０００８】
第１の発明に係る電子カメラは、撮影光学系による被写体像を光電変換して画像信号を生成する撮像素子と、画像信号に基づいて被写体像の焦点評価値を算出し、該焦点評価値が極大値となるレンズ位置を探索して撮影光学系の合焦状態を検出する第１焦点検出部と、第１焦点検出部と異なる方式で撮影光学系の合焦状態を検出する第２焦点検出部と、被写界の輝度値を取得する輝度情報取得部と、第１焦点検出部または第２焦点検出部の少なくとも一方に基づいて撮影光学系の合焦動作を行い、輝度値が閾値以下の場合には第２焦点検出部に基づいて撮影光学系の合焦動作を行う合焦制御部と、を有することを特徴とする。
【０００９】
第２の発明は、第１の発明において、合焦制御部は、輝度値が閾値以下の場合であって、第１焦点検出部の焦点検出エリア内で所定以上の輝度を有する画像信号の占める割合が所定値以上の場合には第２焦点検出部に基づいて撮影光学系の合焦動作を行うことを特徴とする。
第３の発明は、第１または第２の発明において、合焦制御部は、第１焦点検出部および第２焦点検出部における撮影条件ごとの信頼度をそれぞれ合算し、第１焦点検出部または第２焦点検出部から信頼度の合計値の高い方を選択して撮影光学系の合焦動作を実行することを特徴とする。
【発明の効果】
【００１０】
第１の発明では、コントラスト検出方式の山登り動作と異なる合焦方式の第２焦点検出部によって、被写界が低輝度の場合にもある程度の合焦精度を確保できる。また、第１の発明では、合焦精度の向上が期待できない第１焦点検出部の合焦動作がカットされるので、被写界が低輝度の場合に速写性が向上する。
第２の発明では、点光源現象の疑似ピークによって第１焦点検出部の山登り動作では真の合焦位置が検出し難い場合に、より信頼度の高い第２焦点検出部に基づいて合焦位置を検出する。そのため、イルミネーションまたは電飾されたクリスマスツリーのある夜景などを撮影する場合にも比較的高い合焦精度を確保できる。
【００１１】
第３の発明では、各焦点検出部の信頼度の合計値に基づいて２つの焦点検出部のいずれを優先するか決定するので、撮影条件に応じて焦点検出動作が最適化される使い勝手のよいハイブリットＡＦカメラを実現できる。
【発明を実施するための最良の形態】
【００１２】
（第１実施形態の説明）
図１は第１実施形態の電子カメラの機能ブロック図である。第１実施形態の電子カメラは、撮影レンズ１およびレンズ駆動機構２と、撮像素子３と、アナログ信号処理部４と、Ａ／Ｄ変換部５と、画像処理部６と、外光ＡＦ部７と、カードインターフェース８および記録媒体９と、メモリ１０と、操作部１１と、レリーズ釦１２と、ＣＰＵ１３と、を有している。
【００１３】
撮影レンズ１は、合焦位置調節用のフォーカシングレンズを含む複数のレンズ群で構成されている。この撮影レンズ１はレンズ駆動機構２によって駆動調整される。
撮像素子３は撮影レンズ１の像空間側に配置される。この第１実施形態の撮像素子３は、被写体像を記録する撮像手段の機能と、焦点検出手段の受光部の機能と、被写界の輝度情報を取得する分割測光部の機能とを備えている。
【００１４】
撮像素子３は、受光画素を平面状に多数配設した画素面と、各受光画素に蓄積された電荷を電圧に変換して出力する出力部とから構成される。撮影レンズ１を介して入射した被写体像は撮像素子３の画素面で受光され、各受光画素には受光量に比例した電荷が蓄積される。撮像素子３の出力部により上記の蓄積電荷はアナログ画像信号として出力される。
アナログ信号処理部４は、相関二重サンプリングを行うＣＤＳ回路、アナログ画像信号の出力を増幅するゲイン回路、色分離回路等で構成されている。Ａ／Ｄ変換部５はアナログ信号処理部４から出力されたアナログ画像信号をデジタル画像信号に変換する。このＡ／Ｄ変換部５の出力は画像処理部６およびＣＰＵ１３に接続されている。
【００１５】
画像処理部６は、デジタル画像信号にガンマ補正、ホワイトバランスなどの処理を行って撮影画像データを生成する。また、画像処理部６はＪＰＥＧ形式等で撮影画像データを圧縮伸長する処理を実行する。
外光ＡＦ部７は、撮影レンズ１とは独立した光学系により焦点検出を行う公知のパッシブ型焦点検出装置である。外光ＡＦ部７は一対の測距レンズ７ａと、ミラー７ｂ，７ｃおよびイメージセンサ７ｄと、演算部７ｅとを有する。一対の測距レンズ７ａを通過した被写体光は、ミラー７ｂ，７ｃで反射された後にイメージセンサ７ｄ上に２つの像として検出される。演算部７ｅはイメージセンサ７ｄが検出した２像間隔に基づいて被写体距離を演算する。
【００１６】
カードインターフェース８には記録媒体９が着脱可能に装着されている。この記録媒体９は、例えばフラッシュメモリ等を内蔵したカード型記録媒体が該当し、画像処理部６で圧縮された画像データが最終的に記録される。
メモリ１０はＳＤＲＡＭ等で構成され、複数フレーム分の画像データを記録できる容量を有している。このメモリ１０には、画像処理部６での画像処理前の画像データや記録媒体９に記録する前の画像データが一時的に保存される。また、メモリ１０には、撮影レンズ１のレンズ位置と被写体距離との対応関係を示すルックアップテーブル（ＬＵＴ）が記録されている。
【００１７】
操作部１１はコマンドダイヤルや十字状のカーソルキーなどで構成され、カメラのシーンモード選択（ポートレートモード、スポーツモード等）を含む各種設定入力に使用される。レリーズ釦１２は合焦動作および撮影動作の指示に使用される。
ＣＰＵ１３は、例えばレンズ駆動機構２の制御、撮像素子３の電荷蓄積時間の制御、撮像素子３の出力に基づくＡＥ演算など、電子カメラの各部制御に必要な演算処理を実行する。このＣＰＵ１３は、第１ＡＦ演算部１４と、第２ＡＦ演算部１５と、ＡＦモード選択部１６とを有している。
【００１８】
第１ＡＦ演算部１４は、撮像素子３の出力によってコントラスト検出方式のＡＦ演算を実行する。なお、第１ＡＦ演算部１４のＡＦ演算では、撮像素子３の１画面分の画像信号をすべて使用する必要はなく、一般的には有効画素領域の一部（例えば、焦点検出エリアなど）の画像信号のみを用いてＡＦ演算を行うことが多い。
コントラスト検出方式のＡＦ演算は、「像のぼけの程度とコントラストには相関関係があって、合焦時に像のコントラストが最大になる」という原理に基づくものである。具体的に説明すると、まず第１ＡＦ演算部１４は撮像素子３に設けられた焦点検出エリアの出力からバンドパスフィルタによって所定帯域の高周波成分を抽出する。そして、第１ＡＦ演算部１４は高周波成分の絶対値を積分して焦点検出エリア内の被写体像に関する焦点評価値を生成する。図２に示すように、この焦点評価値は合焦位置Ｌ０でコントラストが最大となったときに最大値となる。なお、図２の横軸は撮影レンズ系１のフォーカシングレンズのレンズ位置を示す。
【００１９】
次に第１ＡＦ演算部１４は、フォーカシングレンズを所定方向に移動させて移動前後の焦点評価値の大小を比較する。移動後の焦点評価値が大きい場合はコントラストが高まる傾向であるとみなして、第１ＡＦ演算部１４はフォーカシングレンズをさらに同一方向に移動させて同様の演算を行う。一方、移動後の焦点評価値が小さい場合はコントラストが低下する状態であるので、第１ＡＦ演算部１４はフォーカシングレンズを逆方向に移動させて同様の演算を行う。上記処理を繰り返すことで第１ＡＦ演算部１４は焦点評価値のピーク（合焦位置）を探索する。上記動作は一般的に「山登り動作」と称されている。
【００２０】
第２ＡＦ演算部１５は外光ＡＦ部７の出力する被写体距離に基づいて以下の要領で合焦制御を実行する。まず、第２ＡＦ演算部１５は、メモリ１０のＬＵＴに基づいて被写体距離から合焦時のレンズ位置のデータを求める。そして、第２ＡＦ演算部１５は、撮影レンズ１の現在位置と合焦時のレンズ位置との差からデフォーカス量を演算し、撮影レンズ１を合焦位置まで駆動させる。
【００２１】
ＡＦモード選択部１６は、撮影条件に応じて電子カメラのＡＦモードを以下の３つから選択する。第１のＡＦモードでは第１ＡＦ演算部１４により撮像素子３の出力に基づいて合焦制御を行う。第２のＡＦモードでは第２ＡＦ演算部１５により外光ＡＦ部７の出力に基づいて合焦制御を行う。第３のＡＦモードでは、第２ＡＦ演算部１５の出力に基づいて合焦位置のサーチ範囲を限定した後に、第１ＡＦ演算部１４による合焦制御を行う。なお、第１実施形態のＡＦモード選択部１６は、点光源現象の発生する撮影条件（被写界の輝度値が低く、第１ＡＦ演算部１４の焦点検出エリア内で所定輝度以上の画像信号の占める割合が高い場合）を基準としてＡＦモードを選択する。
【００２２】
以下、第１実施形態における電子カメラの撮影動作を図３を参照しつつ説明する。
ステップＳ１０１：撮影者がレリーズ釦１２を半押しすると、ＣＰＵ１３は外光ＡＦ部７を駆動させて被写体距離を取得する。
ステップＳ１０２：ＣＰＵ１３は撮像素子３を駆動させて、第１ＡＦ演算部１４のＡＦ演算のためのＡＦ用露出制御情報を取得する。このＡＦ用露出制御情報には、被写界の輝度値の情報や焦点検出エリア内の画像信号の輝度レベルなどの情報が含まれており、第１ＡＦ演算部１４の合焦制御時における画像信号のゲイン値調整や、後述の点光源現象の発生判定に使用される。
【００２３】
ステップＳ１０３：ＣＰＵ１３のＡＦモード選択部１６は、ＡＦ用露出制御情報（Ｓ１０２）に基づいて「点光源現象の発生する撮影条件（被写界の輝度値が閾値以下で、第１焦点検出部の焦点検出エリア内で所定輝度以上の画像信号の占める割合が所定値以上の場合）」か否かを判定する。点光源現象の発生する撮影条件の場合（ＹＥＳ側）にはＳ１０４に移行する。一方、点光源現象の発生する撮影条件に該当しない場合（ＮＯ側）にはＳ１０５に移行する。
【００２４】
ステップＳ１０４：この場合にはＡＦモード選択部１６は第２のＡＦモードを選択する。そして、第２ＡＦ演算部１５は外光ＡＦ部７の被写体距離に基づいて合焦制御を実行する。
ここで、点光源現象の発生する撮影条件下において第１ＡＦ演算部１４の山登り動作で合焦制御を行わないのは以下の理由による。図４は、点光源現象発生時における焦点評価値とレンズ位置との相関を示す図であり、図中では真の合焦位置をＬ０で示す。
【００２５】
Ｓ１０４の撮影条件でＣＰＵ１３がＡＦ用の露出制御を行う場合、被写界内の建物や人などに焦点調節が可能であるように、ＣＰＵ１３はＡＦ用の画像信号に対するゲインを点光源の輝度よりも低い輝度レベルを基準として調整する。
このＳ１０４の撮影条件において、真の合焦位置の前後（Ｌ１、Ｌ２）では点光源がぼけて広がることから焦点検出エリア内に高輝度の画素が増加する。このＬ１、Ｌ２では画像のコントラストはＬ０よりも不鮮明であるが、高輝度画素の影響を受けて焦点評価値が高まる傾向がある。一方、真の合焦位置Ｌ０ではシャープな画像となって点光源が収束する。このＬ０では焦点検出エリア内の高輝度画素はＬ１、Ｌ２よりも相対的に減少するので、Ｌ０での焦点評価値はＬ１、Ｌ２よりも低下する。すなわち、Ｓ１０４の撮影条件では真の合焦位置の前後でそれぞれ焦点評価値の疑似ピークが発生することとなる（点光源現象）。
【００２６】
したがって、Ｓ１０４の場合には第１ＡＦ演算部１４が山登り動作で合焦位置を探索するとＬ１、Ｌ２の疑似ピークが選択されて合焦精度が却って低下するおそれがある。以上から、第１実施形態ではより信頼度の高い第２ＡＦ演算部１５で合焦制御を実行する。
ステップＳ１０５：この場合にはＡＦモード選択部１６は第３のＡＦモードを選択する。まず、第２ＡＦ演算部１５は外光ＡＦ部７の被写体距離に基づいておおよその合焦位置の範囲を割り出す。次に第１ＡＦ演算部１４は、上記の合焦位置の範囲において焦点評価値のピーク（合焦位置）を山登り動作で探索する。
【００２７】
ステップＳ１０６：ＣＰＵ１３はレリーズ釦１２が全押しされたか（レリーズされたか）否かを判定する。レリーズされた場合（ＹＥＳ側）にはＳ１０７に移行する。一方、レリーズ釦１２に入力がない場合（ＮＯ側）には撮影者のレリーズを待機する。
ステップＳ１０７：ＣＰＵ１３は撮像素子３を駆動させて被写体像を撮影する。そして、アナログ信号処理部４および画像処理部６は、撮影画像の画像信号に一連の画像処理を施して撮影画像データを生成する。以上で第１実施形態の一連の撮影動作が終了する。
【００２８】
かかる第１実施形態の電子カメラは、点光源現象の発生する条件下（Ｓ１０４）では、コントラスト検出方式の合焦制御を行わずに外光ＡＦ部７の出力に基づいて合焦位置を検出する。したがって、第１実施形態では、コントラスト検出方式に特有の点光源現象による合焦精度低下は関係がないので、点光源現象の生じやすいシーンの撮影（イルミネーションまたは電飾されたクリスマスツリーのある夜景など）でも比較的高い合焦精度を確保できる。
【００２９】
一方、第１実施形態の電子カメラは、点光源現象の発生しない条件下（Ｓ１０５）では外光ＡＦ部７の出力に基づいて合焦位置のサーチ範囲を限定した後に、コントラスト検出方式で合焦位置の微調整を行う。そのため、コントラスト検出方式による高い合焦精度を確保しつつも合焦制御の所要時間は短縮されるので、速写性および合焦精度に優れた電子カメラを実現することができる。
【００３０】
（第２実施形態の説明）
図５は第２実施形態における電子カメラの撮影動作を示す流れ図である。以下の実施形態において、第１実施形態と共通する構成には同一符号を付して説明を省略する。なお、図５のＳ２０１、Ｓ２０２、Ｓ２０６、Ｓ２０７は、図３のＳ１０１、Ｓ１０２、Ｓ１０６、Ｓ１０７にそれぞれ対応するのでその説明は省略する。
【００３１】
この第２実施形態では、Ｓ２０３でのＡＦモード選択部１６は「被写界の輝度値が閾値以下か否か」を基準としてＡＦモードを選択する。被写界の輝度値が閾値以下の場合（Ｓ２０３のＹＥＳ側）には、ＡＦモード選択部１６は第２のＡＦモードを選択する（Ｓ２０４）。そして、第２ＡＦ演算部１５は外光ＡＦ部７の被写体距離に基づいて合焦制御を実行する。
【００３２】
このＳ２０４の場合には被写界が暗くて被写体像のコントラストが不明確なため、コントラスト検出方式による焦点検出が困難となることが多い。そのため、Ｓ２０４ではより信頼性の高い第２ＡＦ演算部１５で合焦制御を実行することで一定の合焦精度を確保する。また、Ｓ２０４ではコントラスト検出方式での合焦動作がカットされる分だけ第３のＡＦモードよりも速写性は向上する。
【００３３】
一方、被写界の輝度値が閾値を上回る場合（Ｓ２０３のＮＯ側）には、ＡＦモード選択部は第３のＡＦモードを選択する（Ｓ２０５）。すなわち、第２ＡＦ演算部１５の出力に基づいて合焦位置のサーチ範囲が限定された後に、第１ＡＦ演算部１４による合焦制御が行われる。そのため、Ｓ２０５の場合にはコントラスト検出方式による高い合焦精度を確保しつつも、合焦制御の所要時間は短縮されることとなる。
【００３４】
（第３実施形態の説明）
図６は第３実施形態における電子カメラの撮影動作を示す流れ図である。第３実施形態では、第１ＡＦ演算部１４および第２ＡＦ演算部１５には撮影条件のパラメータごとにその信頼度が予め設定され、メモリ１０に撮影条件の各パラメータと信頼度データの対応関係が記録されている。ＡＦモード選択部１６は撮影条件ごとの信頼度の合計値を基準として最終的な合焦位置を決定する。なお、図６のＳ３０１、Ｓ３０２、Ｓ３０６、Ｓ３０７は図３のＳ１０１、Ｓ１０２、Ｓ１０６、Ｓ１０７にそれぞれ対応するのでその説明は省略する。
【００３５】
ステップＳ３０３：第１ＡＦ演算部１４は撮像素子３の出力に基づいてコントラスト検出方式で合焦位置を探索する。なお、Ｓ３０３では、第３のＡＦモードと同様に外光ＡＦ部７の被写体距離に基づくサーチ範囲内で合焦位置を探索するのが好ましい。
ステップＳ３０４：ＡＦモード選択部１６は、現在の撮影条件に該当する各パラメータの信頼度データをメモリ１０から取得する。そして、ＡＦモード選択部１６は、現在の撮影条件における第１ＡＦ演算部１４および第２ＡＦ演算部１５の信頼度の合計値をそれぞれ算出する。
【００３６】
図７は、本実施形態における撮影条件のパラメータの例と第１ＡＦ演算部１４および第２ＡＦ演算部１５の信頼度との関係を示す表である。なお、信頼度の数値は設計に応じて具体的に決定される。例えば、被写界が暗い場合や点光源現象が発生する場合には第１ＡＦ演算部１４の信頼度の方がより低く設定される。また、被写体が近い場合には外光ＡＦ部７では視差が生じるので第２ＡＦ演算部１５の信頼度の方が低く設定される。なお、撮影条件のその他のパラメータとしては、例えばシーンモードの設定（ポートレートモード、スポーツモード等）などが該当する。
【００３７】
ステップＳ３０５：ＡＦモード選択部１６は、第１ＡＦ演算部１４および第２ＡＦ演算部１５のうち、信頼度の合計値が高い方の合焦位置演算結果を採用する。ＣＰＵ１３は採用された演算結果に基づいて撮影レンズ１を合焦位置まで移動させる。
上記の第３実施形態では、第１ＡＦ演算部１４および第２ＡＦ演算部１５の信頼度の合計値に基づいて２つのＡＦ演算部のいずれを優先するか決定するので、撮影条件に応じて焦点検出動作が最適化される使い勝手のよいハイブリットＡＦカメラを実現できる。
【００３８】
（請求項と実施形態との対応関係）
ここで、請求項と実施形態との対応関係を示しておく。なお、以下に示す対応関係はあくまで参考のために示した解釈であって、本発明の技術的範囲を限定するものではない。
「撮影光学系」には撮影レンズ１が対応する。「撮像素子」、「輝度情報取得部」には撮像素子３が対応する。「第１焦点検出部」には撮像素子３および第１ＡＦ演算部１４が対応する。「第２焦点検出部」には外光ＡＦ部７および第２ＡＦ演算部１５が対応する。「合焦制御部」にはＡＦモード選択部１６が対応する。
【００３９】
（実施形態の補足事項）
以上、本発明を上記の実施形態によって説明してきたが、本発明の技術的範囲は上記実施形態に限定されるものではない。
（１）本発明の第２焦点検出部はパッシブ式の外光ＡＦ装置に限定されることなく、赤外線照射によるアクティブ式の焦点検出装置など、ＴＴＬコントラスト検出方式以外の公知の焦点検出装置がすべて含まれる。なお、撮影レンズから撮像素子までの撮影光路上にハーフミラー等を配置して光路を分岐すれば、ＴＴＬ位相差検出方式の焦点検出装置で第２焦点検出部を構成することは十分可能である（図示を省略する）。
【００４０】
（２）第３実施形態では、Ｓ３０３でコントラスト検出方式の合焦動作を常に実行しているが、Ｓ３０３の焦点検出動作を省いて、被写体距離（Ｓ３０１）やＡＦ用露出制御情報（Ｓ３０２）等に基づいてＳ３０４で信頼度の合計値を算出するようにしてもよい。この場合には第２ＡＦ演算部の信頼性の合計値が高い場合にはコントラスト検出方式の合焦動作が実行されないので、例えば、スポーツモードなどで速写性が特に重視される場合にも対応することが可能となる。
【図面の簡単な説明】
【００４１】
【図１】第１実施形態の電子カメラの機能ブロック図
【図２】コントラスト検出方式での焦点評価値とレンズ位置との相関を示す図
【図３】第１実施形態の電子カメラの撮影動作を示す流れ図
【図４】点光源現象発生時における焦点評価値とレンズ位置との相関を示す図
【図５】第２実施形態の電子カメラの撮影動作を示す流れ図
【図６】第３実施形態における電子カメラの撮影動作を示す流れ図
【図７】撮影条件のパラメータの例と第１ＡＦ演算部、第２ＡＦ演算部の信頼度との関係を示す表
【符号の説明】
【００４２】
１  撮影レンズ
３  撮像素子
７  外光ＡＦ部
１４  第１ＡＦ演算部
１５  第２ＡＦ演算部
１６  ＡＦモード選択部
【図１】
2006178343.tif 000003
【図２】
2006178343.tif 000004
【図３】
2006178343.tif 000005
【図４】
2006178343.tif 000006
【図５】
2006178343.tif 000007
【図６】
2006178343.tif 000008
【図７】
2006178343.tif 000009